(57)【要約】【課題】簡単な構成で高音質の音声再生を実現した音声再生装置と音声再生方法を提供する。【解決手段】音声再生装置を構成する第１出力回路と第２出力回路から出力される第１チャネルの音声出力信号と第２チャネルの音声出力信号とを互いに逆位相関係とする。上記音声出力信号を受けて、音声を出力する第１音声出力手段と上記第２音声出力手段は、出力される音声が同位相となるようにされたケーブルによって上記第１出力回路と第２出力回路と接続される。音声再生方法として、第１出力回路と第２出力回路から出力される第１と第２チャネルの音声出力信号を互いに逆位相関係とする。上記音声出力信号を受けて、音声を出力する音声出力手段は、上記第１出力回路と第２出力回路にそれぞれ接続させる２対のケーブルのうち一方のケーブルにおいて極性を他方のケーブルとは逆にする。【選択図】図１
2011035886.tif 000002
【特許請求の範囲】
【請求項１】
第１チャネルの音声出力信号を出力する第１出力回路と、
第２チャネルの音声出力信号を出力する第２出力回路とを有し、
上記第１出力回路と第２出力回路は、上記第１出力回路の出力端子から出力される上記第１チャネルの音声出力信号と上記第２出力回路の出力端子から出力される第２チャネルの音声出力信号とは互いに逆位相関係となるように動作し、
上記第１チャネルの音声出力信号と第２チャネルの音声出力信号とをそれぞれ受けて、第１音声と第２音声を出力する第１音声出力手段と第２音声出力手段に対して、出力される音声が互いに同位相となるように上記第１出力回路と第２出力回路に上記第１音声出力手段と上記第２音声出力手段をそれぞれ接続する、
音声再生装置。
【請求項２】
請求項１において、
上記第１出力回路及び第２出力回路は、携帯用オーディオプレーヤに搭載され、
上記携帯用オーディオプレーヤは、
上記第１チャネルと第２チャネルのデジタル音声信号が記憶された記憶回路と、
上記記憶回路に記憶された第１チャネルと第２チャネルのデジタル音声信号を上記第１チャネルの音声信号と第２チャネルの音声信号にそれぞれ変換するデジタル／アナログ信号変換回路とを有し、
上記第１音声出力手段と上記第２音声出力手段は、イヤホンである、
音声再生装置。
【請求項３】
請求項２において、
上記第１チャネルは右チャネルであり、
上記第２チャネルは左チャネルであり、
上記携帯用オーディオプレーヤは、
上記第１出力回路に伝える右チャネルの音声信号を増幅する右チャネルプリアンプと上記第２出力回路に伝える左チャネルの音声信号を増幅する左チャネルプリアンプとを有し、
上記右チャネルプリアンプと左チャネルプリアンプは、音量調整機能のための増幅動作と、上記右チャネルの音声信号と左チャネルの音声信号とを逆位相関係にする増幅動作とを行う、
音声再生装置。
【請求項４】
請求項２において、
上記第１チャネルは右チャネルであり、
上記第２チャネルは左チャネルであり、
上記携帯用オーディオプレーヤは、
上記第１出力回路に伝える右チャネルの音声信号を音量制御信号に従って増幅する右チャネルプリアンプと、
上記第２出力回路に伝える左チャネルの音声信号を上記音量制御信号に従って増幅する左チャネルプリアンプと、
上記右チャネルプリアンプの入力に供給する右チャネル音声信号を増幅する第１アンプと、
上記左チャネルプリアンプの入力に供給する左チャネル音声信号を増幅する第２アンプとを有し、
上記第１アンプと第２アンプは同じ利得に設定され、一方は入力信号を同相で出力し、他方は入力信号を反転して出力させる、
音声再生装置。
【請求項５】
請求項２において、
上記第１チャネルは右チャネルであり、
上記第２チャネルは左チャネルであり、
上記携帯用オーディオプレーヤは、
上記第１出力回路に伝える右チャネルの音声信号を音量制御信号に従って増幅する右チャネルプリアンプと、
上記第２出力回路に伝える左チャネルの音声信号を上記音量制御信号に従って増幅左チャネルプリアンプとを有し、
上記デジタル／アナログ信号変換回路の入力には、第１チャネルと第２チャネルのデジタル音声信号が互いに逆位相関係にされる、
音声再生装置。
【請求項６】
第１チャネルと第２チャネルのデジタル音声信号が記憶された記憶回路と、
上記記憶回路に記憶された第１チャネルと第２チャネルのデジタル音声信号を第１チャネルの音声信号と第２チャネルの音声信号にそれぞれ変換するデジタル／アナログ信号変換回路と、
上記第１チャネルの音声信号と第２チャネルの音声信号に対応した音声出力信号を形成する第１出力回路と第２出力回路とを有する携帯用オーディオプレーヤの音声再生方法であって、
第１出力回路と第２出力回路に入力される第１チャネルの音声信号と第２チャネルの音声信号とを互いに逆位相関係として上記第１チャネルの音声信号と第２チャネルの音声出力信号を形成し、
上記第１チャネルの音声信号と第２チャネルの音声出力信号を受けて音声を出力させる第１イヤホンと第２イヤホンにおいて、出力される２つの音声が同位相となるように上記第１出力回路と第２出力回路と上記第１イヤホンと第２イヤホンとをそれぞれ接続させる２対のケーブルのうち一方のケーブルにおいて極性を他方のケーブルとは逆にして第１イヤホンと第２イヤホンと接続させる、
音声再生方法。
【発明の詳細な説明】
【技術分野】
【０００１】  この発明は、音声再生装置と音声再生方法に関し、例えばステレオ再生が可能な携帯用オーディオ装置に適用して有効な技術に関するものである。
【背景技術】
【０００２】  携帯器機用音声信号増幅装置及び携帯機器接続用ケーブルとして、特開２００６−３１１０９７号公報がある。この携帯器機用音声信号増幅装置は、機種判別手段を設けて、携帯器機の機種に合わせてコンポを通して大きな高音質の音声再生を行う。ＭＰ３プレーヤを含みオーディオプレーヤ組立体として特表２００７−５２３４３３号公報がある。ＭＰ３プレーヤからのオーディオ信号を受信してスピーカーから出力させるオーズィオプレーヤユニットを有する。
【先行技術文献】
【特許文献】
【０００３】
【特許文献１】特開２００６−３１１０９７号公報
【特許文献２】特表２００７−５２３４３３号公報
【発明の概要】
【発明が解決しようとする課題】
【０００４】  前記特許文献１や２のような携帯用音楽プレーヤは内蔵電池によって動作する。内蔵電池は、内部インピーダンスが比較的大きく、あるいは電流供給能力が小さいので出力回路の動作に対応して生じる電源ノイズ等によって再生音声が劣化する。すなわち、オーディオ装置において、高音質化のために電源回路を強化することが有効であることは、高級オーディオ装置等において良く知られている。【０００５】  この発明の目的は、簡単な構成で高音質の音声再生を実現した音声再生装置と音声再生方法を提供することにある。この発明の前記ならびにそのほかの目的と新規な特徴は、本明細書の記述および添付図面から明らかになるであろう。
【課題を解決するための手段】
【０００６】  本願において開示される１つの実施例は、以下の通りである。音声再生装置を構成する第１出力回路と第２出力回路から出力される第１チャネルの音声出力信号と第２チャネルの音声出力信号とを互いに逆位相関係とする。上記音声出力信号を受けて、音声を出力する第１音声出力手段と上記第２音声出力手段は、出力される音声が同位相となるようにされたケーブルによって上記第１出力回路と第２出力回路と接続される。【０００７】  本願において開示される他の実施例は、以下の通りである。第１チャネルと第２チャネルのデジタル音声信号が記憶された記憶回路と、上記記憶回路に記憶された第１チャネルと第２チャネルのデジタル音声信号を第１チャネルの音声信号と第２チャネルの音声信号にそれぞれ変換するデジタル／アナログ信号変換回路と、上記第１チャネルの音声信号と第２チャネルの音声信号に対応した音声出力信号を形成する第１出力回路と第２出力回路とを有する携帯用オーディオプレーヤの音声再生方法として、第１出力回路と第２出力回路から出力される第１チャネルの音声出力信号と第２チャネルの音声出力信号とを互いに逆位相関係とする。そして、上記音声出力信号を受けて、音声を出力する第１イヤーホーンと第２イヤーホーンは、上記第１出力回路と第２出力回路にそれぞれ接続させる２対のケーブルのうち一方のケーブルにおいて極性を他方のケーブルとは逆にする。
【発明の効果】
【０００８】  ２つのチャネルに対応した２つの出力回路においては、互いに逆位相にされた音声出力信号を形成するので、電源回路からみた負荷電流が半分に減少し、しかも２つのチャネル間でクロストーク分が発生しないので実質的な電源回路の強化が図られ、高音質の音声再生を実現できる。
【図面の簡単な説明】
【０００９】
【図１】この発明に係る携帯用オーディオ装置の一実施例のブロック図である。
【図２】この発明に係る携帯用オーディオ装置の他の一実施例のブロック図である。
【図３】この発明に係る携帯用オーディオ装置の更に他の一実施例のブロック図である。
【図４】この発明に係る携帯用オーディオ装置の動作説明のための波形図である。
【図５】従来方式の携帯用オーディオ装置の動作説明のための波形図である。
【図６】この発明に係る携帯用オーディオ装置の更に他の一実施例のブロック図である。
【図７】この発明の更に他の一実施例のブロック図である。
【発明を実施するための形態】
【００１０】  添付の図面に沿って、この発明の好ましい実施の形態について詳細に説明する。
【実施例】
【００１１】  図１には、この発明に係る携帯用オーディオ装置の一実施例のブロック図が示されている。この実施例の携帯用オーディオ装置は、デジタル回路部とアナログ回路部に分けられる。デジタル回路部は、以下の回路により構成される。記憶回路ＭＥＭは、デジタル音声信号を記憶する。この記憶装置ＭＥＭは、例えば不揮発性記憶装置の１つであるフラッシュメモリが用いられる。制御回路ＣＮＴは、例えばマイクロコンピュータユニット（ＭＣＵ）のような制御装置からなり、携帯用オーディオ装置の記憶／再生に必要な各種制御動作を行う。上記制御回路ＣＮＴは、制御信号Ｒ／Ｗ等により上記記憶装置ＭＥＭに対してデジタル音声信号ＤＩの書き込む動作を指示する。上記記憶装置ＭＥＭにおけるデジタル音声信号ＤＩの書き込み動作は、書き換え動作も含む。つまり、既に記憶されたデジタル音声信号を消去し、別のデジタル音声信号を書き込む動作も含まれる。【００１２】  上記制御回路ＣＮＴは、上記同様に上記記憶装置ＭＥＭに対して読み出し動作を指示してデジタル音声信号ＤＯを出力させ、デジタル／アナログ変換回路を含む信号変換回路ＤＡＣに入力して右チャネル用と左チャネル用のアナログ音声信号ＲＳとＬＳを形成させる。上記記憶回路ＭＥＭに記憶されたデジタル音声信号（ＤＩ，ＤＯ）が前記特許文献１や２にも説明されているようなＭＰ３のようにデータ圧縮されたデジタル信号である場合には、上記信号変換回路ＤＡＣには上記圧縮されたデジタル信号ＤＯを伸張させる信号伸張回路が含まれる。そして、デジタル／アナログ変換回路により上記右チャネル用と左チャネル用のアナログ音声信号ＲＳとＬＳとが形成される。このデジタル／アナログ変換回路は、デジタル回路部とアナログ回路部とに分けられる。【００１３】  アナログ回路部は、上記右チャネル用と左チャネル用のアナログ音声信号ＲＳとＬＳをそれぞれ受けるプリアンプＰＡＲ，ＰＡＬ及びパワーアンプとしての出力回路ＰＷＲ，ＰＷＬとにより構成される。上記プリアンプＰＡＲ，ＰＡＬにおいては、制御回路ＣＮＴで形成された音量制御信号ＶＣにより入力された右チャネル用と左チャネル用のアナログ音声信号ＲＳとＬＳの電圧利得の制御が行われる。【００１４】  この実施例では、高音質の音声再生に向けて、特に制限されないが、左チャネル用のプリアンプＰＡＬは、上記のような電圧利得の制御の他に上記入力されたアナログ音声信号ＬＳを反転させて左チャネル用の出力回路ＰＷＬの入力に伝える。これに対して、右チャネル用のプリアンプＰＡＲは、上記のような電圧利得の制御するだけで、上記入力されたアナログ音声信号ＲＳを同相のままで右チャネル用の出力回路ＰＷＲの入力に伝える。これにより、出力回路ＰＷＲと出力回路ＰＷＬとにおいては、出力されるアナログ音声出力信号が互いに逆位相関係にされる。【００１５】  上記出力回路ＰＷＲと出力回路ＰＷＬの出力端子は、特に制限されないが、同図では省略されているが、イヤホン・ジャック（ステレオ・ミニ・タイプ）及びイヤホン・プラグ（ステレオ・ミニ・タイプ）及びケーブルを介して右側イヤホンＥＨＲと左側イヤホンＥＨＬに接続される。前記のように出力回路ＰＷＲとＰＷＬによるアナログ音声出力信号が互��に逆位相関係にされているため、そのまま従来のような携帯音楽プレーヤのように接続すると、左右の音声出力が逆位相のままにされてステレオ再生音声が定位しなくなる。そこで、例えば、右側チャネルは、従来と同様にイヤホンＥＨＲの＋側入力は、出力回路ＰＷＲの＋側出力に接続する。これに対して、左側チャネルは、従来とは逆にイヤホンＥＨＬの−側入力を出力回路ＰＷＲの＋側出力に接続する。【００１６】  つまり、イヤホン・ジャック（ステレオ・ミニ・タイプ）は、イヤホン・プラグ（ステレオ・ミニ・タイプ）のチップ、リング及びスリーブにそれぞれ対応した３つの電極を有する。チップに対応した電極はは左チャネル用の出力回路ＰＷＬの出力端子に接続され、リングに対応した電極は右チャネル用の出力回路ＰＷＲの出力端子に接続される。そして、スリーブに対応した電極は、上記出力回路ＰＷＬとＰＷＲの中点である回路の接地電位に共通に接続される。上記右側イヤホンＥＨＲの＋側は、上記イヤホン・プラグ（ステレオ・ミニ・タイプ）及びケーブルを介して上記出力回路ＰＷＲの＋側出力に接続され、上記右側イヤホンＥＨＲの−側は、上記共通化された−側（中点）にケーブルを介して接続される。同図において、○は上記イヤホン・ジャック及びイヤホン・プラグに対応し、○に付された記号＋は上記＋側出力に対応し、○に付された記号−は上記共通化された−側（中点）に対応している。【００１７】  上記左側イヤホンＥＨＬの−側は、イヤホン・プラグ（ステレオ・ミニ・タイプ）及びケーブルを介して上記出力回路ＰＷＬの＋側出力に接続され、上記右側イヤホンＥＨＲの＋側は上記共通化された−側（中点）にケーブル接続される。これにより、位相反転された左チャネルのアナログ音声出力信号を受ける左側イヤホンＥＨＬは、アナログ音声出力信号に対して位相反転させた音声を出力するために、再生された左右チャネルの音声は、原音声に対応したステレオ再生音声となり音源が定位することなる。原音声がモノラルである場合には、正しく再生音声が中央部から聞こえるようになる。上記イヤホンＥＨＲやＥＨＬの＋側は、例えばコイルの巻始側であり、上記イヤホンＥＨＲやＥＨＬの−側はコイルの巻終側である。【００１８】  特に制限されないが、この実施例のアナログ回路部であるプリアンプＰＡＲ，ＰＡＬやＰＷＲ，ＰＷＬは、チャージポンプ回路ＣＰＧ１で形成された正電圧＋Ｖと、チャージポンプ回路ＣＰＧ２で形成された負電圧−Ｖで動作する。チャージポンプ回路ＣＰＧ１，ＣＰＧ２は、上記制御回路ＣＮＴの動作に用いられるクロック信号ＣＫを受けて、内蔵電池電圧を基に上記のような正電圧＋Ｖと負電圧−Ｖを形成する。【００１９】  上記アナログ回路部は、出力回路ＰＷＲ，ＰＷＬのみが上記２つの正電圧＋Ｖと−Ｖで動作し、プリアンプＰＡＲ，ＰＡＬやデジタル／アナログ変換回路ＤＡＣのアナログ出力部は、上記＋Ｖのみで動作するものであってもよい。この場合、＋Ｖの負荷電流が−Ｖよりも大きくなるので、プリアンプＰＡＲ，ＰＡＬやデジタル／アナログ変換回路ＤＡＣのアナログ出力部に専用のチャージポンプ回路を設けるものとしてもよい。この場合、プリアンプＰＡＲとＰＡＬの出力信号は、上記正電圧範囲で変化するアナログ信号となるので、その出力信号をレベルシフトして上記出力回路ＰＷＲ，ＰＷＬの中点電圧に合わせるか、もしくはカップリングコンデンサを設けてプリアンプＰＡＲとＰＡＬの出力直流成分を除去すればよい。上記のように出力回路側とプリアンプ側の電源をそれぞれ別のチャージポンプ回路で形成した場合には、出力回路の動作による電源ノイズがプリアンプ側に帰還してしまうことによる音質を劣化を防止できる。【００２０】  電源安定化のために、チャージポンプ回路ＣＰＧ１とＣＰＧ２は、チャージポンプ回路部と、それにより形成された電圧を受けて、基準電圧に対応して上記正電圧＋Ｖ、負電圧−Ｖをそれぞれ出力する安定化電圧回路部から構成されてもよい。つまり、上記＋Ｖや−Ｖよりも絶対値的に大きな電圧をチャージポンプ回路ＣＰＧ１，ＣＰＧ２により形成しておいて、上記安定化電圧回路を通して上記＋Ｖや−Ｖの電圧を安定化させる。このことは、上記プリアンプ側に専用のチャージポンプ回路を設ける場合も同様である。【００２１】  上記制御回路ＣＮＴは、スイッチ等で形成された複数からなる操作信号ＣＳを受けて、上記各種動作制御を行う。携帯用音楽プレーヤが表示装置を有する場合、制御回路ＣＮＴはその制御も受け持つ。上記制御回路ＣＮＴは、上記表示装置を用いて上記記憶回路ＭＥＭに格納された複数の音楽プログラムについての分類や検索及びそのための表示制御等の信号処理も行う。【００２２】  図２には、この発明に係る携帯用オーディオ装置の他の一実施例のブロック図が示されている。この実施例では、プリアンプＰＡＲ，ＰＡＬの入力側には上記出力回路ＰＷＲと出力回路ＰＷＬから出力されるアナログ音声出力信号が互いに逆位相関係とするためのバッファアンプが設けられる。例えば、右チャネル側のバッファアンプＢＡＲは入力信号と同相の出力信号をＲＳを形成し、左チャネル側のバッファアンプＢＡＬは入力信号と逆相の出力信号を／ＲＬを形成する。このようにプリアンプＰＡＲとＰＡＬの入力側で２つのアナログ音声信号ＲＳ，／ＬＳが互いに逆位相関係にされている場合には、プリアンプＰＡＲとＰＡＬは制御回路ＣＮＴで形成された音量制御信号ＶＣにより入力された右チャネル用と左チャネル用のアナログ音声信号ＲＳと／ＬＳの電圧利得の制御のみが行われる。つまり、プリアンプＰＡＲとＰＡＬとは、入力信号と同相又は逆相の出力信号をそれぞれ形成する。【００２３】  図３には、この発明に係る携帯用オーディオ装置の更に他の一実施例のブロック図が示されている。この実施例では、デジタル／アナログ変換回路ＤＡＣにおいて、上記出力回路ＰＷＲと出力回路ＰＷＬから出力されるアナログ音声出力信号が互いに逆位相関係となるようなアナログ音声信号ＲＳと／ＬＳを形成する。このようにプリアンプＰＡＲとＰＡＬの入力側で２つのアナログ音声信号ＲＳ，／ＬＳが互いに逆位相関係にされている場合には、プリアンプＰＡＲとＰＡＬは制御回路ＣＮＴで形成された音量制御信号ＶＣにより入力された右チャネル用と左チャネル用のアナログ音声信号ＲＳと／ＬＳの電圧利得の制御のみが行われる。つまり、図２の実施例と同様にプリアンプＰＡＲとＰＡＬとは入力信号と同相又は逆相の出力信号をそれぞれ形成���る。【００２４】  アナログ／デジタル変換回路ＤＡＣにおいて、符号ビットと音声信号により正サイクルと負サイクルとのデジタル音声信号を表現するものでは、例えば記憶回路ＭＥＭに記憶された左チャネルのデジタル音声信号の符号ビットを反転させる。左チャネルについては、このように反転された符号ビットを用いてデジタル／アナログ変換動作を行われる。このようなデジタル信号処理により、アナログ音声信号ＲＳと／ＬＳとが原音声の関連において互いに逆位相関係とするようにされる。【００２５】  図４には、この発明に係る携帯用オーディオ装置の動作説明のための波形図が示されている。同図では、モノラル音声信号を出力する場合の出力回路の波形図が例示的に示されている。モノラル音声信号は、左右両チャネルが同じ信号波形とされる。この実施例の出力回路では、前記のように左右両チャネルが互いに逆位相関係とされているので、右チャネルの出力回路ＰＷＲが正の出力電圧ＶＲを形成しているときには、左チャネルの出力回路ＰＷＬでは逆の負の出力電圧／ＶＬを形成する。【００２６】  上記の場合、右チャネル側の出力回路ＰＷＲはチャージポンプ回路ＣＰＧ１で形成された正電圧＋Ｖからの電圧により上記正の出力電圧ＶＲを形成する。このような出力電圧ＶＲを形成するときに、チャージポンプ回路ＣＰＧ１に含まれる電源インピーダンスによって正電圧＋Ｖには上記出力電圧ＶＲを反転させたような電源ノイズ＋ｎｖ１が発生する。同図では図面での表現が難しいので省略されているが上記のような電源ノイズ＋ｎｖ１は、実線で示した矢印で示したように実際に出力される出力電圧ＶＲに信号歪を生じさせる。つまり、上記のように電源ノイズ＋ｎｖ１が出力電圧ＶＲを反転させたような電圧であることから、上記電源ノイズ＋ｎｖ１を考慮した実質的な出力電圧ＶＲは、大まかにいうと上記電源インピーダンスによって点線で示した矢印と実線で示した矢印のような経路によって変化させられる。【００２７】  このとき、左チャネル側の出力回路ＰＷＬは上記チャージポンプ回路ＣＰＧ１とは異なるチャージポンプ回路ＣＰＧ２で形成された負電圧−Ｖからの電圧により上記負の出力電圧／ＶＬを形成する。このような出力電圧／ＶＬを形成するときに、チャージポンプ回路ＣＰＧ２に含まれる電源インピーダンスによって負電圧−Ｖには上記出力電圧／ＶＬを反転させたような電源ノイズ−ｎｖ１が発生する。同図では図面での表現が難しいので省略されているが上記のような電源ノイズ−ｎｖ１は、実線で示した矢印で示したように実際に出力される出力電圧／ＶＬに信号歪を生させる。つまり、上記のように電源ノイズ−ｎｖ１が出力電圧／ＶＬを反転させたような電圧であることから、上記電源ノイズ−ｎｖ１を考慮した実質的な出力電圧／ＶＬは、大まかにいうと上記電源インピーダンスによって点線で示した矢印と実線で示した矢印のような経路によって変化させられる。【００２８】  次の半サイクルでは、右チャネル側の出力回路ＰＷＲはチャージポンプ回路ＣＰＧ２で形成された負電圧−Ｖからの電圧により負の出力電圧ＶＲを形成する。このような出力電圧ＶＲを形成するときに、チャージポンプ回路ＣＰＧ２に含まれる電源インピーダンスによって負電圧−Ｖには上記出力電圧ＶＲを反転させたような電源ノイズ−ｎｖ２が発生する。これにより、前記同様に上記電源ノイズ−ｎｖ２を考慮した実質的な出力電圧ＶＲは、大まかにいうと上記電源インピーダンスによって点線で示した矢印と実線で示した矢印のような経路によって変化させられる。【００２９】  このとき、左チャネル側の出力回路ＰＷＬは上記チャージポンプ回路ＣＰＧ２とは異なるチャージポンプ回路ＣＰＧ１で形成された正電圧＋Ｖからの電圧により正の出力電圧／ＶＬを形成する。このような出力電圧／ＶＬを形成するときに、チャージポンプ回路ＣＰＧ１に含まれる電源インピーダンスによって正電圧＋Ｖには上記出力電圧／ＶＬを反転させたような電源ノイズ＋ｎｖ２が発生する。これにより、前記同様に上記ノイズ＋ｎｖ２を考慮した実質的な出力電圧／ＶＬは、大まかにいうと上記電源インピーダンスによって点線で示した矢印と実線で示した矢印のような経路によって変化させられる。【００３０】  上記のような出力動作において、チャージポンプ回路ＣＰＧ１は、１つの出力回路ＰＷＲの動作電流を供給するだけであるので、上記出力回路ＰＷＲとＰＷＬとから同時に正の出力電圧ＶＲとＶＬを出力させる場合の半分でよい。同様にチャージポンプ回路ＣＰＧ２は、１つの出力回路ＰＷＬの動作電流を供給するだけであるので、上記出力回路ＰＷＲとＰＷＬとから同時に負の出力電圧ＶＲとＶＬを出力させる場合の半分でよい。この結果、出力回路ＰＷＲとＰＷＬからみた場合、電源回路の能力を２倍に強化したこと、あるいは電源インピーダンスを半分に減らしたと等価になる。つまり、上記電源ノイズ＋ｎｖ１、＋ｎｖ２、＋ｎｖ３、＋ｎｖ４…及び電源ノイズ−ｎｖ１、−ｎｖ２、−ｎｖ３、−ｎｖ４…は、それぞれ出力回路ＰＷＲとＰＷＬを同相で動作させる場合の半分にレベルを削減することができる。これにより、本願発明に係る音声再生装置と音声再生方法により、簡単な構成で高音質の音声再生を実現できる。【００３１】  ちなみに、図５には従来方式の携帯用オーディオ装置の動作説明のための波形図が示されている。この場合も、前記同様にモノラル音声信号を出力する場合の出力回路の波形図が例示的に示されている。モノラル音声信号は、前記のように左右チャネルが同じ信号波形とされる。従来の出力回路では、左右チャネルが互いに同相のアナログ出力電圧ＶＲとＶＬにされるので、右チャネルの出力回路ＰＷＲが正の出力電圧ＶＲを形成しているときには、左チャネルの出力回路ＰＷＬも正の出力電圧ＶＬを形成する。【００３２】  上記の場合、両チャネルの出力回路ＰＷＲとＰＷＬはチャージポンプ回路ＣＰＧ１で形成された正電圧＋Ｖからの電圧により上記正の出力電圧ＶＲとＶＬを形成する。このような出力電圧ＶＲとＶＬを形成するときに、チャージポンプ回路ＣＰＧ１に含まれる電源インピーダンスによって正電圧＋Ｖには上記出力電圧ＶＲ＋ＶＬを反転させたような電源ノイズ＋ｎｖ１が発生する。この電源ノイズ＋ｎｖ１は、前記図４の場合の２倍の大きなものとなる。電源ノイズ＋ｎｖ１は、実線で示した矢印で示したように実際に出力される出力電圧ＶＲとＶＬに信号歪を生させる。つまり、上記のように電源ノイズ＋ｎｖ１が出力電圧ＶＲ���ＶＬを反転させたような大きな電圧であることから、上記電源ノイズ＋ｎｖ１を考慮した実質的な出力電圧ＶＲとＶＬは、大まかにいうと上記電源インピーダンスによって点線で示した矢印と実線で示した矢印のような経路によって大きく変化させられる。このとき、負電圧−Ｖを形成するチャージポンプ回路ＣＰＧ２では、負荷電流が流れないからノイズが発生しない。【００３３】  次の半サイクルでは、両チャネルの出力回路ＰＷＲとＰＷＬはチャージポンプ回路ＣＰＧ２で形成された負電圧−Ｖからの電圧により負の出力電圧ＶＲとＶＬを形成する。このような出力電圧ＶＲとＶＬを形成するときに、チャージポンプ回路ＣＰＧ２に含まれる電源インピーダンスによって負電圧−Ｖには上記出力電圧ＶＲ＋ＶＬを反転させたような電源ノイズ−ｎｖ１が発生する。この電源ノイズ−ｎｖ１は、前記図４の場合の２倍の大きなものとなる。電源ノイズ−ｎｖ１は、実線で示した矢印のように実際に出力される出力電圧ＶＲとＶＬに信号歪を生させる。つまり、上記のように電源ノイズ−ｎｖ１が出力電圧ＶＲとＶＬを反転させたような大きな電圧であることから、上記電源ノイズ−ｎｖ１を考慮した実質的な出力電圧ＶＲとＶＲは、大まかにいうと上記電源インピーダンスによって点線で示した矢印と実線で示した矢印のような経路によって大きく変化させられる。このとき、正電圧＋Ｖを形成するチャージポンプ回路ＣＰＧ１では、負荷電流が流れないからノイズが発生しない。【００３４】  上記アナログ音声信号の場合と異なり、ステレオ音声信号を出力する場合には、出力電圧ＶＲと出力電圧ＶＬとはそれぞれ異なる波形となる。このため、上記正の半サイクルでは正電圧＋Ｖ側に上記出力電圧ＶＲとＶＬを合成したような電源ノイズ＋ｎｖ１が発生し、上記負の半サイクルでは負電圧−Ｖ側に上記出力電圧ＶＲとＶＬを合成したような電源ノイズ−ｎｖ１が発生する。つまり、この電源ノイズ＋ｎｖ１と−ｎｖ１には左右両チャネルの出力電流を合成したような大きな振幅の波形となり、それぞれの上記出力電圧ＶＲとＶＬの両方に影響を及ぼす。したがって、実際に出力される右チャネル側の出力電圧ＶＲは、左チャネル側の出力電圧ＶＬに対応したノイズ成分がいわばクロストークして原音声波形とは異なるような歪みを発生させる。同様に、実際に出力される左チャネル側の出力電圧ＶＬには、右チャネル側の出力電圧ＶＲに対応したノイズ成分がいわばクロストークして原音声波形とは異なるような歪みを発生させる。つまり、ステレオ再生出力のときには、前記モノラル再生出力のような単純な信号歪みに止まらず、左右チャネルのクロストークが相互に発生することとなってそれぞれの原音声波形に対する歪を大きくするものとなる。【００３５】  図２及び図３の実施例では、プリアンプＰＡＲとＰＡＬの前段側で、左右チャネルのアナログ音声信号が互いに逆位相になっている。前記同様なことがプリアンプにおいても発生すると考えられ、しかも大きな電圧利得を持って増幅動作を行うプリアンプＰＡＲとＰＡＬでの前記電源ノイズ及びクロストークの影響も軽減することができるのでいっそう高品質の出力音声を得ることができる。【００３６】  図６には、この発明に係る携帯用オーディオ装��の更に他の一実施例のブロック図が示されている。この実施例は、図１の実施例の変形例である。この実施例では、動作電圧は例えばチャージポンプ回路ＣＰＧ１で形成された正電圧＋Ｖとされる。この場合、出力回路ＰＷＲとＰＷＬは、＋Ｖ／２を中点電圧として、正の半サイクルと負の半サイクルの出力波形を形成する。このような出力波形には、上記のように直流成分を含むので、出力回路ＰＷＬ，ＰＷＲの出力と前記のようなイヤホン・プラグ（ステレオ・ミニ・タイプ）のチップ、リングにそれぞれ対応したイヤホン・ジャックの２つの電極との間には、直流成分を阻止し、音声信号のみを伝達するカップリングコンデンサＣ２，Ｃ１が設けられる。このカップリングコンデンサＣ２，Ｃ１は、その容量値を大きくする必要がある。したがって、携帯用音楽プレーヤにおいては小型化や低周波数までの出力を可能にする等のためには上記カップリングコンデンサＣ２，Ｃ１が無い方が好ましい。【００３７】  前記図１〜図３の実施例では、上記正電圧＋Ｖと負電圧−Ｖを用い、０Ｖを中点電圧とすることにより、上記カップリングコンデンサＣ１，Ｃ２が不要となるものである。図６の実施例のように、アナログ回路部が１つの電源電圧（例えば＋Ｖ）で動作する場合でも、前記図４の波形図と同様なノイズが発生する。つまり、１つの電源電圧で動作する携帯用オーディオ装置においては、図４及び図５に示された中点０が＋Ｖ／２となり、負の電圧−Ｖが０Ｖに対応するものとなり、この発明を適用することによって前記同様に高音質出力動作が可能になる。この場合、電源電圧側のノイズは、電源インピーダンスによって決まるが、接地電位側は接地線の寄生抵抗によりそれぞれ決まる。【００３８】  前記図２や図３の実施例においても、前記図６の実施例と同様に１つの動作電圧＋Ｖ等により動作させることができる。この場合には、もちろん前記のようなカップリングコンデンサＣ１，Ｃ２が必要になるものである。動作電圧＋Ｖは、チャージポンプ回路により昇圧されたものである必要はなく、電池電圧をそのまま利用するもの、あるいは電池電圧を安定化電圧回路を通して出力させるものであってもよい。【００３９】  図７には、この発明の更に他の一実施例のブロック図が示されている。この実施例は、いわゆるコンポと呼ばれるような据置型のオーディオ装置に向けられている。この実施例のコンポは、ＣＤプレーヤ、プリアンプ及びパワーアンプ及びスピーカからなる。ＣＤプレーヤ、プリアンプ及びパワーアンプの相互は、ＲＡＣオーディオケーブルにより接続される。このようなＲＣＡオーディオケーブルは、信号線と接地線とからなるものであるために、前記図１ないし図３のようにパワーアンプの出力部において互いに逆相関係の出力電圧動作を行わせるために、ケーブルを逆接続しても、信号出力が接地電位に短絡されてしまい、左右いずれかのチャネルの信号極性を反転させることができない。【００４０】  この実施例では、ＣＤプレーヤとプリアンプとの間にライントランスが設けられる。このライントランスは、右チャネルトランスＴＲと左チャネルトランスＴＬからなる。電圧利得はほぼ１に設定される。ライントランスは、ＣＤプレーヤとプリアンプとの間を直流的に分離する。トランスの周波数特性を利用して音声帯域を超えるような高周波数ノイズを遮断させる。ライントランスは、ＣＤプレーヤからの音声再生をアナログレコードプレーヤからのアナログ音声再生に近づけるオーディオ・アクセサリーとして提供されている。ここで、プリアンプは、右チャネル用のプリアンプＡ３と左チャネル用のプリアンプＡ４により構成される。パワーアンプは、右チャネル用のパワーアンプＡ５と左チャネル用のパワーアンプＡ６により構成される。スピーカは、右チャネル用のスピーカＳＰＲと左チャネル用のスピーカＳＰＬにより構成される。【００４１】  この実施例では、上記ライントランスは上記ＣＤプレーヤとプリアンプとトランス結合させるものであるあるから、コイルの接続の選択によって位相反転は簡単にできることに着目し、例えば右チャネルトランスＴＲは、入力側と出力側とが同相となるように接続する。これに対して、左側チャネルトランスＴＬは、入力側に対して出力側が反転させるようにコイルの接続を行う。そして、ＲＣＡオーディオケーブルＬ１，Ｌ２を用いてＣＤプレーヤの出力端子Ｒｏ，ＬｏとライントランスＴＲ，ＴＬの入力側を接続する。ＲＣＡオーディオケーブルＬ３，Ｌ４を用いてライントランスＴＲ，ＴＬの出力側とプリアンプＡ３，Ａ４の入力側を接続する。ＲＣＡオーディオケーブルＬ５とＬ６を用いてプリアンプＡ３，Ａ４の出力側とパワーアンプＡ５，Ａ６の入力側を接続する。スピーカケーブルＬ７，Ｌ８を用いてパワーアンプＡ５，Ａ６の出力端子とスピーカＳＰＲ，ＳＰＬを接続する。【００４２】  上記接続により、プリアンプ及びパワーアンプでは、上記のように両チャネルの音声信号が互いに逆位相にされており、前記のような電源強化及びチャネル間のクロストークを防止することができる。そして、スピーカから出力される両チャネルの音声を原音声と同じような位相関係にするため、例えば左チャネルのスピーカＳＰＬの入力極性が、パワーアンプＡ６と出力端子の極性と間で逆接続される。つまり、パワーアンプＡ６の＋出力はスピーカの−入力に、パワーアンプＡ６の−出力はスピーカの＋入力にそれぞれ逆接続される。これに対して、右チャネルのパワーアンプＡ５の＋出力はスピーカの＋入力に、パワーアンプＡ５の−出力はスピーカの−入力にそれぞれ逆接続される。上記のような右又は左の一方のトランスが逆接続されたライントランスを用いることと、上記のような右又は左の一方のスピーカを逆接続させることにより、コンポにもいても高品質の音声再生が可能になる。前記ライントランスは、ＣＤプレーヤの他にＦＭチューナや従来のＭＰプレーヤ等と前記コンポを構成するプリアンプとの間に用いることもできるものである。【００４３】  以上本発明者によってなされた発明を、前記実施形態に基づき具体的に説明したが、本発明は、前記実施形態に限定されるものではなく、その要旨を逸脱しない範囲において種々変更可能である。例えば、前記実施例では左側チャネルを位相反転させたが、これに代えて右側チャネルの位相反転させるのであってもよい。前記実施例のように位相反転させた側の音声出力手段に代えて、位相反転させない側の音声出力手段の接続を逆にするものであってもよい。イヤホン・ジャックは、前記標準的なステレオ・ミニ・タイプの他に４つの電極を有するイヤホン・ジャック及びプラグを用いて２対のケーブルによって左右のイヤホンとそれぞれ接続するもの等種々の実施形態を採ることができる。音声出力手段としては、前記イヤホンに他にヘッドホンを用いることができる。前記コンポではスピーカが音声出力手段となる。図１〜図３及び図６の実施例において、ステレオ・ミニ・タイプのような一般的なイヤホン又はヘッドホンを用いた音声出力を可能にするために、前記のような位相反転出力動作を選択的に行うようにする機能を設けるものであってもよい。【００４４】  左右チャネルのいずれか一方の位相反転させる手段あるいは方法としては、デジタル音声信号を生成する際に形成するものであってもよい。あるいはデジタル音源ソースを、記憶回路ＭＥＭに記憶する際に、左右チャネルのいずれか一方の位相反転させるものであってもよい。このような記憶動作は、例えば制御回路ＣＮＴによりデジタル音声信号ＤＩを信号処理して実施できる。このように、記憶回路ＭＥＭに記憶されて出力されるデジタル音声信号ＤＯの左チャネルと右チャネルが互いに逆位相関係とされている場合には、少なくとも再生系回路は、従来ＭＰプレーヤ自体をそのまま利用でき、音声出力手段において前記のように左右チャネルのいずれか一方の位相反転させて音声出力させるものとすればよい。
【産業上の利用可能性】
【００４５】  この発明は、携帯用オーディオ装置等の音声再生装置と音声再生方法に広く利用することができる。
【符号の説明】
【００４６】  ＭＥＭ…記憶装置、ＣＮＴ（ＭＣＵ）…制御回路、ＤＡＣ…信号変換回路、ＰＡＲ，ＰＡＬ…プリアンプ、ＰＷＲ，ＰＷＬ…出力回路、ＥＨＲ，ＥＨＬ…イヤホン、ＣＰＧ１，ＣＰＧ２…チャージポンプ回路、ＴＲ，ＴＬ…トランス、Ａ３，Ａ４…アンプ、Ａ５，Ａ６…パワーアンプ、ＳＰＲ，ＳＰＬ…スピーカ、Ｌ１〜Ｌ６…ＲＣＡオーディオケーブル、Ｌ７，Ｌ８…スピーカケーブル。
【図１】
2011035886.tif 000003
【図２】
2011035886.tif 000004
【図３】
2011035886.tif 000005
【図４】
2011035886.tif 000006
【図５】
2011035886.tif 000007
【図６】
2011035886.tif 000008
【図７】
2011035886.tif 000009